(57)【要約】【課題】流通過程での不正開封防止機能と廃棄処理時の分別回収機能とを兼ね備えた不正開封防止及び分別回収機能付キャップを提供する。【解決手段】キャップ本体100 の周壁の外周上端に、内面に嵌着用凸部162 を設ける弯出部分161 を中央にもつ不正開封防止用帯体160 を、弯出部分をキャップ本体のヒンジ300 の対向側に対向させて、周方向の複数個の脆弱小ブリッジ170 で接続し、蓋200 のヒンジの対向側に、不正開封防止用帯体の弯出部分の内側に収容可能な開閉用つば230 を突設し、開閉用つばの上面外周縁部に嵌着用凹部231 を設け、かつ、キャップ本体の側面の周壁に、Ｌ字状の切欠きを設けて左側が周壁の上端に達し右側が中間位置に達する切断用つまみ部を形成し、切断用つまみ部の左側上端から周壁の上端に沿って右側の周方向へ所定位置まで横の薄肉脆弱線を形成し、切断用つまみ部の左側上端から上方へ横の薄肉脆弱線に至る縦の薄肉脆弱線を形成する。【選択図】図１
2005138890.tif 000002
【特許請求の範囲】
【請求項１】
プルリングで開口するキャップ本体にヒンジを介して開閉可能に蓋が接続するキャップにおいて、前記キャップ本体の周壁の外周上端に、内面上端に嵌着用凸部を設ける弯出部分を中央に形成する不正開封防止用帯体を、前記弯出部分を前記キャップ本体の前記ヒンジの対向側に対向させて、周方向に並ぶ複数個の脆弱小ブリッジで接続し、前記蓋の前記ヒンジの対向側に、前記不正開封防止用帯体の弯出部分の内側に収容可能な開閉用つばを突設し、該開閉用つばの上面外周縁部に、前記不正開封防止用帯体の嵌着用凸部と嵌合する嵌着用凹部を設け、かつ、前記キャップ本体の側面の周壁に、Ｌ字状の切欠きを設けて左側が前記周壁の上端に達し右側が中間位置に達する切断用つまみ部を形成し、該切断用つまみ部の左側上端から前記周壁の上端に沿って右側の周方向へ所定位置まで横の薄肉脆弱線を形成し、前記切断用つまみ部の左側上端から上方へ前記横の薄肉脆弱線に至る縦の薄肉脆弱線を形成したことを特徴とする不正開封防止及び分別回収機能付キャップ。
【発明の詳細な説明】
【技術分野】
【０００１】
本発明は、プルリングで開封するキャップ本体に蓋がヒンジを介して開閉し、流通過程で不正開封がしにくく、使用後には容器本体から分別回収し易い不正開封防止及び分別回収機能付キャップに関するものである。
【背景技術】
【０００２】
従来、市場の店頭などでの商品の不正開封、例えば、ＰＥＴボトル（ポリエチレンテレフタレートを二軸延伸ブロー成形したボトル）の口頸部に装着された蓋がキャップ本体にヒンジを介して接続するキャップの蓋が故意に開けられ、キャップ本体の注出筒に収容されているプルリングを引っ張って、注出筒の内側下方の封鎖板に設けられいる環状薄肉脆弱線を破断して、キャップ本体を開封したのちに、再度蓋を閉じてそのまま店頭に戻す悪戯が多く見られていた。また、最近では、環境保全の問題から、使用後のボトルを廃棄処理するときに、材質の異なる各部品を材質ごとに分別回収する機運が高まって来ている。このため、キャップに不正開封防止機能をもたせたキャップや廃棄処理時にボトルから分別回収がし易くしたキャップについて、これまでに、数多くの発明や考案がなされて来た。
【発明の開示】
【発明が解決しようとする課題】
【０００３】
しかしながら、ボトルの口頸部に装着されるキャップにおいて、流通過程での不正開封防止機能と廃棄処理時の分別回収機能とを一つキャップで兼ね備えたキャップは、まだ開発されていなかった。                                                            
【０００４】
本発明は、上述の従来のキャップの流通時や廃棄処理時の問題点を解決したものであり、流通過程での不正開封防止機能と廃棄処理時の分別回収機能とを二つの機能を兼ね備えた不正開封防止及び分別回収機能付キャップを提供するものである。
【課題を解決するための手段】
【０００５】
すなわち、本発明の発明は、プルリングで開口するキャップ本体にヒンジを介して開閉可能に蓋が接続するキャップにおいて、前記キャップ本体の周壁の外周上端に、内面上端に嵌着用凸部を設ける弯出部分を中央に形成する不正開封防止用帯体を、前記弯出部分を前記キャップ本体の前記ヒンジの対向側に対向させて、周方向に並ぶ複数個の脆弱小ブリッジで接続し、前記蓋の前記ヒンジの対向側に、前記不正開封防止用帯体の弯出部分の内側に収容可能な開閉用つばを突設し、この開閉用つばの上面外周縁部に、前記不正開封防止用帯体の嵌着用凸部と嵌合する嵌着用凹部を設け、かつ、前記キャップ本体の側面の周壁に、Ｌ字状の切欠きを設けて左側が前記周壁の上端に達し右側が中間位置に達する切断用つまみ部を形成し、この切断用つまみ部の左側上端から前記周壁の上端に沿って右側の周方向へ所定位置まで横の薄肉脆弱線を形成し、前記切断用つまみ部の左側上端から上方へ前記横の薄肉脆弱線に至る縦の薄肉脆弱線を形成したことを特徴とする不正開封防止及び分別回収機能付キャップである。
【発明の効果】
【０００６】
本発明の不正開封防止及び分別回収機能付キャップ（１０）は、図３（ａ）又は（ｂ）に示すように、キャップ本体（１００）に蓋（２００）を閉じると、蓋の開閉用つば（２３０）の上面外周縁部に設けられた嵌着用凹部（２３１）が、キャップ本体の外周に脆弱小ブリッジ（１７０）で接続する不正開封防止用帯体（１６０）の弯出部分（１６１）の内面上端に設けられた嵌着用凸部（１６２）と嵌合して、蓋の開閉用つば（２３０）が不
正開封防止用帯体の弯出部分（１６１）の内側に収容される。このため、不正開封防止用帯体を脆弱小ブリッジを切断して取り去らない限りは、蓋を開閉用つばで開くことができない。この結果、不正開封（いたずら）を防止できる。また、流通過程で不正開封されたことは、外観から容易に確認することができる。
【０００７】
また、本発明の不正開封防止及び分別回収機能付キャップは、使用したのち廃棄処理するときに、キャップ本体（１００）の側面の周壁（１５０）に設けられた図２（ｂ）に示す切断用つまみ部（１５２）を指でつまんで上方へ持ち上げると、切断用つまみ部の左側上端から上方へ横の薄肉脆弱線（１５３）に至る縦の薄肉脆弱線（１５４）が切断され、さらに、切断用つまみ部を上方右側方向へ引っ張ると、切断用つまみ部の左側上端から周壁の上端に沿って右側の周方向へ設けられた横の薄肉脆弱線（１５３）が切断されて、ボトルの口頸部からキャップが容易に外れて来る。このため、材質ごとの分別回収が容易となる。
【０００８】
なお、上述のキャップ本体の側面の周壁に設けられた切断用つまみ部（１５２）は、図２（ａ）に示すように、キャップが未開封の場合には、不正開封防止用帯体（１６０）で覆われているため、誤って使用されることが防げる。
【発明を実施するための最良の形態】
【０００９】
次に、本発明の不正開封防止及び分別回収機能付キャップの一実施形態について、図を用いて詳細に説明する。
【００１０】
図１は、本実施形態の不正開封防止及び分別回収機能付キャップの蓋を開いたときの平面図である。図２（ａ）は、図１のキャップの左側面図であり、図２（ｂ）は、不正開封防止用帯体を取り外して蓋を開いたときの右側面図である。そして、図３（ａ）は、図１のキャップのキャップ本体に蓋を装着したときの平面図であり、図３（ｂ）は、図３（ａ）のＡ−Ａ’断面における蓋の開閉用ツバの嵌着用凹部と不正開封防止用帯体の嵌着用凸部との嵌合状態を示す断面図である。
【００１１】
本実施形態の不正開封防止及び分別回収機能付キャップ（１０）は、図１に示すように、プルリングで注出筒の内側の封鎖板を開口するキャップ本体（１００）に、ヒンジ（３００）を介して開閉可能に蓋（２００）が接続するキャップであり、流通過程時における不正開封防止機能と使用後の廃棄処分時の分別回収機能との二つ機能を兼ね備えるキャップである。なお、本実施形態のキャップは、脆弱小ブリッジや薄肉脆弱線をもちこれらを破断する必要があるため、破断可能な低密度ポリエチレンなどの熱可塑性樹脂を用いて、射出成形法によりキャップ本体と蓋と一体に成形するものである。
【００１２】
キャップ本体（１００）の構造は、図１に示すように、天板（１１０）の周縁部に外周に沿って液垂れ防止リング（１２０）を立設し、その内側の天板に注出筒（１３０）を立設し、この注出筒の内側下方に封鎖板（１４０）を設けて封鎖し、この封鎖板の開口予定位置に、下面に切込みを設けて上面に環状薄肉脆弱線（１４２）を形成し、この環状薄肉脆弱線の内側近傍位置に、先端にプルリング（１４４）をもつ支柱を突設するものであり、そして、周壁（１５０）の外周上端には、内面上端に嵌着用凸部（１６２）を設ける弯出部分（１６１）を中央に形成する不正開封防止用帯体（１６０）を、弯出部分をキャップ本体（１００）のヒンジ（３００）の対向側に対向させて、周方向に等間隔で並ぶ複数個の脆弱小ブリッジ（１７０）で接続するものである。なお、天板（１１０）下面には、図３（ｂ）に示すように、ボトルの口部を封止するためのインナー封止リング（１１１）（外周面を口部内周面に密接）を垂設し、このインナー封止リングの外側にコンタクト封止リング（１１２）（先端を口部天面に密接）を設けるものである。
【００１３】
蓋（２００）の構造は、図１に示すように、天板（２１０）と周壁（２２０）とからな
り、天板の下面に、キャップ本体（１００）の注出筒（１３０）を封止するインナー封止リング（２１１）（内周面を注出筒内周面に密接）を垂設し、ヒンジ（３００）の対向側の周壁外周面下端に、不正開封防止用帯体（１６０）の弯出部分（１６１）の内側に収容可能な開閉用つば（２３０）を突設し、この開閉用つばの上面外周縁部に、不正開封防止用帯体の嵌着用凸部（１６２）と嵌合する嵌着用凹部（２３１）を設けるものである。また、図１及び図３（ｂ）に示すように、周壁（２２０）の内周面下方に、キャップ本体（１００）の液垂れ防止リング（１２０）を封止するコンタクト封止リング（２２１）（先端が液垂れ防止リングの上面に密接）を設けるものである。
【００１４】
また、キャップ本体（１００）の側面の周壁（１５０）には、図２（ｂ）に示すように、Ｌ字状の切欠き（１５１）を設けて左側が周壁の上端に達し右側が中間位置に達する角状の切断用つまみ部（１５２）を形成し、この切断用つまみ部の左側上端から周壁の上端に沿って右側の周方向へ分離に必要な所定位置まで横の薄肉脆弱線（１５３）を形成し、切断用つまみ部の左側上端から上方へ横の薄肉脆弱線に至る縦の薄肉脆弱線（１５４）を形成するものである。
【００１５】
蓋（２００）をキャップ本体に閉じると、図３（ａ）に示すように、蓋の開閉用つば（２３０）がキャップ本体の不正開封防止用帯体（１６０）の弯出部分（１６１）に収容された状態で嵌着する。この本実施形態の不正開封防止及び分別回収機能付キャップは、内容物を充填したボトルの口頸部に螺合又は咬合により装着されるものである。ボトルを開封して内容物を注出するときは、まず、蓋の開閉用つばを収容して取り囲む不正開封防止用帯体を取り外し、開閉用つばにより蓋を後方へ開き、次に、注出筒内に収容されているプルリングを上方へ引っ張って、注出筒の内側の封鎖板に設けられている環状薄肉脆弱線を破断して開口してボトルを開封し、このボトルを傾斜させて内容物を注出筒から注出するものである。
【００１６】
そして、空になったボトルを廃棄処理するときは、キャップ本体の胴部に設けられている切断用つまみを上方そして横方向へ引っ張って、胴部に設けられている縦及び横の薄肉脆弱線を切断して、ボトル口頸部からキャップを取り外して分別回収して廃棄するものである。
【図面の簡単な説明】
【００１７】
【図１】本発明の一実施形態の不正開封防止及び分別回収機能付キャップの蓋を開いた状態の平面図である。
【図２】（ａ）は、図１のキャップの左側面図であり、（ｂ）は、不正開封防止用帯体を取り外して蓋を開いたときの右側面図である。
【図３】（ａ）は、図１のキャップのキャップ本体に蓋を装着したときの平面図であり、（ｂ）は、Ａ−Ａ’断面における蓋の開閉用ツバの嵌着用凹部と不正開封防止用帯体の嵌着用凸部との嵌合状態を示す断面図である。
【符号の説明】
【００１８】
１０……不正開封防止及び分別回収機能付キャップ
１００……キャップ本体
１１０，２１０……天板
１１１，２１１……インナー封止リング
１１２，２２１……コンタクト封止リング
１２０……液垂れ防止リング
１３０……注出筒
１４０……封鎖板
１４２……環状薄肉脆弱線
１４４……プルリング
１５０，２２０……周壁
１５１……Ｌ字状切欠き
１５２……切断用つまみ部
１５３……横の薄肉脆弱線
１５４……縦の薄肉脆弱線
１６０……不正開封防止用帯体
１６１……弯出部
１６２……嵌着用凸部
１７０……脆弱小ブリッジ
２００……蓋
２３０……開閉用つば
２３１……嵌着用凹部
３００……ヒンジ
【図１】
2005138890.tif 000003
【図２】
2005138890.tif 000004
【図３】
2005138890.tif 000005